(57)【要約】【課題】ニュースや天気予報などのように１日に何回も放送される番組の最新情報をいつでも視聴することが可能な情報記録再生装置を提供する。【解決手段】例えば、１日分の天気予報番組が録画予約された後、録画開始時刻になったときに割り当て領域Ｅ１，Ｅ２，Ｅ３の何れかに新しい天気予報番組が録画される。録画終了時刻になって、録画が停止すると、天気予報番組に対する録画情報が記録媒体に保存される。ユーザが最新の天気予報を視聴したいため、リモコン操作により天気予報の再生を選択すると、選択された天気予報について前記録画情報から最新の天気予報の録画番組が、割り当て領域Ｅ１，Ｅ２，Ｅ３より検索され、最新の天気予報の録画番組が読み出され、再生される。【選択図】図２
2007221410.tif 000002
【特許請求の範囲】
【請求項１】
テレビ番組を選局するチューナを備え、テレビ番組などの情報を記録媒体に記録したり、記録媒体に記録された情報を再生したりする情報記録再生装置において、
１日に何回も放送されるニュースや天気予報などのような複数回番組を同種番組毎に分類して録画予約の設定を行う録画予約設定手段と、現在時刻が録画予約時刻になったときに前記設定された録画予約は前記同種番組毎に分類された番組の録画予約であるか否かを判定する録画予約判定手段と、前記同種番組毎に分類された番組の録画予約であると判定されたときに前記記録媒体に前記複数回番組を録画するための割り当て領域が不足しているか否かを判定する領域判定手段と、前記割り当て領域が不足していると判定されたときに前記割り当て領域に録画されている録画番組を消去する録画番組消去手段と、前記割り当て領域が不足していないと判定されたときに前記割り当て領域に前記同種番組毎に分類された番組の録画を開始させる録画開始手段と、現在時刻が録画終了時刻になって前記同種番組毎に分類された番組の録画が停止したときに当該番組に関する分類と録画日時とチャンネルと前記割り当て領域のアドレス情報とを録画情報として前記記録媒体に保存させる録画情報保存手段とを有する録画処理部を備えると共に、
前記録画された同種番組毎に分類された番組のうちの所望する番組を再生するために所望する番組が選択操作されたか否かを判定する番組選択操作判定手段と、前記所望する番組が選択操作されたと判定されたときに前記録画情報に基づいて最新の録画番組を前記割り当て領域から検索する最新録画番組検索手段と、前記検索により所望する番組の最新の録画番組が有ったか録画番組自体が無かったかを判定する録画番組判定手段と、前記最新の録画番組が有ったと判定されたときに再生を開始させる再生開始手段と、前記録画番組自体が無かったと判定されたときに当該番組は録画されていないことを示すメッセージを表示手段に表示させるメッセージ表示手段とを有する再生処理部を備えたことを特徴とする情報記録再生装置。
【請求項２】
テレビ番組を選局するチューナを備え、テレビ番組などの情報を記録媒体に記録したり、記録媒体に記録された情報を再生したりする情報記録再生装置において、
１日に何回も放送されるニュースや天気予報などのような複数回番組を同種番組毎に分類して録画予約の設定を行った後、現在時刻が録画予約時刻になったときに、前記記録媒体の割り当て領域が不足しているときは当該割り当て領域に録画されている番組を消去して当該割り当て領域に前記同種番組毎に分類された番組の録画を行い、前記記録媒体の割り当て領域が不足していないときは当該割り当て領域に前記同種番組毎に分類された番組の録画を行い、次に、現在時刻が録画終了時刻になって前記同種番組毎に分類された番組の録画が停止したときに当該番組に関する分類と録画日時とチャンネルと前記割り当て領域のアドレス情報とを録画情報として前記記録媒体に保存させる録画処理部を備えると共に、
前記録画された同種番組毎に分類された番組のうちの所望する番組を再生するために所望する番組が選択操作されたと判定されたときに、前記録画情報に基づいて最新の録画番組を前記割り当て領域から検索し、この検索により所望する番組の最新の録画番組が有ったときに再生を開始させる再生処理部を備えたことを特徴とする情報記録再生装置。
【請求項３】
前記録画処理部は、１日に何回も放送されるニュースや天気予報などのような複数回番組を同種番組毎に分類して録画予約の設定を行う録画予約設定手段と、現在時刻が録画予約時刻になったときに前記設定された録画予約は前記同種番組毎に分類された番組の録画予約であるか否かを判定する録画予約判定手段と、前記同種番組毎に分類された番組の録画予約であると判定されたときに前記記録媒体に前記複数回番組を録画するための割り当て領域が不足しているか否かを判定する領域判定手段と、前記割り当て領域が不足していると判定されたときに前記割り当て領域に録画されている録画番組を消去する録画番組消去手段と、前記割り当て領域が不足していないと判定されたときに前記割り当て領域に前記同種番組毎に分類された番組の録画を開始させる録画開始手段と、現在時刻が録画終了時刻になって前記同種番組毎に分類された番組の録画が停止したときに当該番組に関する分類と録画日時とチャンネルと前記割り当て領域のアドレス情報とを録画情報として前記記録媒体に保存させる録画情報保存手段とを有することを特徴とする請求項２に記載の情報記録再生装置。
【請求項４】
前記再生処理部は、前記録画された同種番組毎に分類された番組のうちの所望する番組を再生するために所望する番組が選択操作されたか否かを判定する番組選択操作判定手段と、前記所望する番組が選択操作されたと判定されたときに前記録画情報に基づいて最新の録画番組を前記割り当て領域から検索する最新録画番組検索手段と、前記検索により所望する番組の最新の録画番組が有ったか録画番組自体が無かったかを判定する録画番組判定手段と、前記最新の録画番組が有ったと判定されたときに再生を開始させる再生開始手段と、前記録画番組自体が無かったと判定されたときに当該番組は録画されていないことを示すメッセージを表示手段に表示させるメッセージ表示手段とを有することを特徴とする請求項２に記載の情報記録再生装置。
【発明の詳細な説明】
【技術分野】
【０００１】
本発明は、テレビ番組を選局するチューナを備え、テレビ番組などの情報を記録媒体に記録したり、記録媒体に記録された情報を再生したりする情報記録再生装置に関する。
【背景技術】
【０００２】
従来から、ハードディスクレコーダやＤＶＤ（デジタル・バーサタイル・ディスク）レコーダなどの情報記録再生装置では、テレビ番組を選局するチューナを備え、テレビ番組などの情報を記録媒体に記録したり、記録媒体に記録された情報を再生したりすることができるように構成されている。また、このような情報記録再生装置は、録画予約機能を備え、ユーザが視聴したいテレビ番組の放送日時およびチャンネルを設定して録画予約しておき、録画が終了した後、いつでもユーザが録画番組を選択し、視聴できるようになっている。
【特許文献１】特開平１０−４２２４７号公報
【特許文献２】特開２００４−２０８２０４号公報
【特許文献３】特開平８−３２９５５８号公報
【発明の開示】
【発明が解決しようとする課題】
【０００３】
ところで、従来の情報記録再生装置において、テレビ番組を録画予約して記録媒体（ハードディスクやＤＶＤなど）に録画しておくことで、ユーザはいつでも録画番組を視聴することができるが、例えば、１日に何回も放送されるニュースや天気予報などの録画番組の個数が増えていくと、記録媒体の領域が番組の録画で、どんどん使用されて空き領域が無くなっていくので、古い録画番組を消去する必要があるが、古い録画番組を消去する場合、ユーザがリモコン操作により、消去したい録画番組をいちいち選択して消去させなければならないので、リモコン操作が煩わしいという課題があった。また、ニュースや天気予報などのように１日に何回も放送される番組は、最新の番組を視聴することに意味があるので、視聴するときは最新の番組を検索しなければならず、リモコン操作が煩わしいという課題があった。
【０００４】
なお、特許文献１の従来技術では、受信されたテレビジョン信号に基づく動画情報の中から録画したい番組の中で毎回同様のパターンとして現れるキー画面を選択して指定するためのキー画面指定手段と、このキー画面指定手段で指定されたキー画面を記憶するキー画面記憶手段と、前記受信されたテレビジョン信号に基づく動画情報を監視して前記動画情報の中に前記キー画面が現れたことを検出するキー画面検出手段と、このキー画面検出手段でキー画面が検出されたときに予め設定した時間だけ前記動画情報を記憶する動画記憶手段とが備えられている。
【０００５】
しかしながら、この従来技術は、受信されたテレビジョン信号に基づく動画情報の中から録画したい番組の中で毎回同様のパターンとして現れるキー画面を選択する動作を行わせるためには、常に装置の電源をオンしておかなければならないので、消費電力が無駄になり、また、装置の寿命も短くなる。また、受信されたテレビジョン信号に基づく動画情報を監視して前記動画情報の中に前記キー画面が現れたことを検出する処理は、動画情報を扱うので、処理が複雑化する。
【０００６】
特許文献２の従来技術では、自動削除防止設定が施されていないコンテンツの中から、前記コンテンツ管理手段により管理されているコンテンツの録画日時および再生回数に基づいて、再生回数が１回以上のコンテンツに対して、再生回数が最小であり録画した日時が最も古いコンテンツを削除するようにしている。これにより、ハードディスクの記録容量が不足になるのを防いでいるが、ニュースや天気予報などのように１日に何回も放送される番組は、最新の番組を視聴することに意味があるので、前記のようにコンテンツの録画日時および再生回数に基づいて、再生回数が１回以上のコンテンツに対して、再生回数が最小であり録画した日時が最も古いコンテンツを削除する処理を適用しても、同じ日時のニュースや天気予報を何回も視聴することがないので、あまり意味がない。
【０００７】
特許文献３の従来技術では、例えば、ニュースのみを特定の磁気テープに記録し、しかも記録日時が早い番組を消去しながら新しい番組を記録するようにすることにより、いつでも最新のニュースを再生して視聴できるようにしているが、この場合の記録媒体は磁気テープであり、記録媒体がハードディスクやＤＶＤである場合の構成が根本的に異なるので、この従来技術の処理は、ハードディスクレコーダやＤＶＤレコーダなどの情報記録再生装置には適用できない。
【０００８】
本発明は、上記のような課題を解決するためになされたもので、ニュースや天気予報などのように１日に何回も放送される番組の最新情報をいつでも視聴することが可能な情報記録再生装置を提供することを目的とする。
【課題を解決するための手段】
【０００９】
上記目的を達成するために、請求項１の発明は、テレビ番組を選局するチューナを備え、テレビ番組などの情報を記録媒体に記録したり、記録媒体に記録された情報を再生したりする情報記録再生装置において、１日に何回も放送されるニュースや天気予報などのような複数回番組を同種番組毎に分類して録画予約の設定を行う録画予約設定手段と、現在時刻が録画予約時刻になったときに前記設定された録画予約は前記同種番組毎に分類された番組の録画予約であるか否かを判定する録画予約判定手段と、前記同種番組毎に分類された番組の録画予約であると判定されたときに前記記録媒体に前記複数回番組を録画するための割り当て領域が不足しているか否かを判定する領域判定手段と、前記割り当て領域が不足していると判定されたときに前記割り当て領域に録画されている録画番組を消去する録画番組消去手段と、前記割り当て領域が不足していないと判定されたときに前記割り当て領域に前記同種番組毎に分類された番組の録画を開始させる録画開始手段と、現在時刻が録画終了時刻になって前記同種番組毎に分類された番組の録画が停止したときに当該番組に関する分類と録画日時とチャンネルと前記割り当て領域のアドレス情報とを録画情報として前記記録媒体に保存させる録画情報保存手段とを有する録画処理部を備えると共に、前記録画された同種番組毎に分類された番組のうちの所望する番組を再生するために所望する番組が選択操作されたか否かを判定する番組選択操作判定手段と、前記所望する番組が選択操作されたと判定されたときに前記録画情報に基づいて最新の録画番組を前記割り当て領域から検索する最新録画番組検索手段と、前記検索により所望する番組の最新の録画番組が有ったか録画番組自体が無かったかを判定する録画番組判定手段と、前記最新の録画番組が有ったと判定されたときに再生を開始させる再生開始手段と、前記録画番組自体が無かったと判定されたときに当該番組は録画されていないことを示すメッセージを表示手段に表示させるメッセージ表示手段とを有する再生処理部を備えたことを特徴とする情報記録再生装置を提供する。
【００１０】
この構成において、先ず、リモコンを操作して、例えば、天気予報番組の１日分の録画予約する操作を行うと、録画予約設定手段は、天気予報番組の録画予約の内容を設定する。天気予報番組が録画予約された後、現在時刻が録画開始時刻になったときに、録画判定手段では、前記設定された録画予約は、１日に何回も放送される天気予報番組の録画予約であるか否かを判定する。同種番組毎に分類された天気予報番組の録画予約であると判定されると、領域判定手段は、割り当て領域が不足しているか否かを判定する。
【００１１】
割り当て領域が不足していると判定されたとき、録画番組消去手段は、割り当て領域に録画されている古い録画番組を消去する。そして、録画開始手段は、新しい天気予報番組を割り当て領域に録画を開始する。割り当て領域が不足していないと判定されたときは、この割り当て領域に、新しい天気予報番組の録画を開始する。現在時刻が録画終了時刻になって、録画が停止すると、録画情報保存手段は、天気予報番組に対する録画情報を記録媒体に保存させる。
【００１２】
ユーザが最新の天気予報を視聴したいため、リモコン操作により天気予報を選択すると、番組選択操作判定手段は、天気予報が選択操作されたことを検知し、最新録画番組検索手段は、前記選択操作された天気予報について録画情報から最新の天気予報の録画番組を割り当て領域より検索する。この検索により、最新番組判定手段は、天気予報の録画番組自体が無かったと判定したとき、メッセージ表示手段は、例えば「天気予報は録画されていません」というメッセージを表示手段に表示させる。一方、最新番組判定手段は、最新の天気予報の録画番組が割り当て領域に有ったと判定したとき、再生開始手段は、割り当て領域から最新の天気予報の録画番組を読み出し、再生を開始させる。
【００１３】
この構成によれば、何回も放送されるニュースや天気予報などのような複数回番組を記録媒体の割り当て領域に録画するようにしたので、記録媒体の領域を有効に使用できると共に、複数回番組の最新情報をいつでも視聴することができるようになる。また、ニュースや天気予報などのように１日に何回も放送される複数回番組の最新情報を視聴したい場合は、ユーザはニュースや天気予報の再生を選択操作するだけで良いので、操作の煩わしさがなく、常に最新情報を視聴できる。
【００１４】
請求項２の発明は、テレビ番組を選局するチューナを備え、テレビ番組などの情報を記録媒体に記録したり、記録媒体に記録された情報を再生したりする情報記録再生装置において、１日に何回も放送されるニュースや天気予報などのような複数回番組を同種番組毎に分類して録画予約の設定を行った後、現在時刻が録画予約時刻になったときに、前記記録媒体の割り当て領域が不足しているときは当該割り当て領域に録画されている番組を消去して当該割り当て領域に前記同種番組毎に分類された番組の録画を行い、前記記録媒体の割り当て領域が不足していないときは当該割り当て領域に前記同種番組毎に分類された番組の録画を行い、次に、現在時刻が録画終了時刻になって前記同種番組毎に分類された番組の録画が停止したときに当該番組に関する分類と録画日時とチャンネルと前記割り当て領域のアドレス情報とを録画情報として前記記録媒体に保存させる録画処理部を備えると共に、前記録画された同種番組毎に分類された番組のうちの所望する番組を再生するために所望する番組が選択操作されたと判定されたときに、前記録画情報に基づいて最新の録画番組を前記割り当て領域から検索し、この検索により所望する番組の最新の録画番組が有ったときに再生を開始させる再生処理部を備えたことを特徴とする情報記録再生装置を提供する。
【００１５】
この構成において、先ず、リモコンを操作して、例えば、天気予報番組の１日分の録画予約する操作を行うと、天気予報番組の録画予約の内容が設定される。天気予報番組が録画予約された後、現在時刻が録画開始時刻になったときに、割り当て領域が不足していると判定されたときは、割り当て領域に録画されている古い録画番組が消去される。そして、新しい天気予報番組が割り当て領域に録画される。割り当て領域が不足していないと判定されたときは、この割り当て領域に、新しい天気予報番組が録画される。現在時刻が録画終了時刻になって、録画が停止すると、天気予報番組に対する録画情報が記録媒体に保存される。
【００１６】
ユーザが最新の天気予報を視聴したいため、リモコン操作により天気予報を選択すると、選択操作された天気予報について前記録画情報から最新の天気予報の録画番組が割り当て領域より検索される。この検索により、最新の天気予報の録画番組が割り当て領域に有ったと判定したとき、割り当て領域から最新の天気予報の録画番組が読み出され、再生が開始される。
【００１７】
この構成によれば、何回も放送されるニュースや天気予報などのような複数回番組を記録媒体の割り当て領域に録画（記録）するようにしたので、記録媒体の領域を有効に使用できると共に、複数回番組の最新情報をいつでも視聴することができるようになる。また、ニュースや天気予報などのように１日に何回も放送される複数回番組の最新情報を視聴したい場合は、ユーザはニュースや天気予報の再生を選択操作するだけで良いので、操作の煩わしさがなく、常に最新情報を視聴できる。
【００１８】
請求項３の発明では、請求項２の発明において、前記録画処理部は、１日に何回も放送されるニュースや天気予報などのような複数回番組を同種番組毎に分類して録画予約の設定を行う録画予約設定手段と、現在時刻が録画予約時刻になったときに前記設定された録画予約は前記同種番組毎に分類された番組の録画予約であるか否かを判定する録画予約判定手段と、前記同種番組毎に分類された番組の録画予約であると判定されたときに前記記録媒体に前記複数回番組を録画するための割り当て領域が不足しているか否かを判定する領域判定手段と、前記割り当て領域が不足していると判定されたときに前記割り当て領域に録画されている録画番組を消去する録画番組消去手段と、前記割り当て領域が不足していないと判定されたときに前記割り当て領域に前記同種番組毎に分類された番組の録画を開始させる録画開始手段と、現在時刻が録画終了時刻になって前記同種番組毎に分類された番組の録画が停止したときに当該番組に関する分類と録画日時とチャンネルと前記割り当て領域のアドレス情報とを録画情報として前記記録媒体に保存させる録画情報保存手段とを有する。
【００１９】
したがって、前記録画処理部は、録画予約設定処理、録画予約判定処理、領域判定処理、録画番組消去処理、録画開始処理、および録画情報保存処理を実現でき、これにより、１日に何回も放送されるニュースや天気予報などのような複数回番組の最新情報を常に記録媒体の割り当て領域に録画させることが可能になる。
【００２０】
請求項４の発明では、請求項２の発明において、前記再生処理部は、前記録画された同種番組毎に分類された番組のうちの所望する番組を再生するために所望する番組が選択操作されたか否かを判定する番組選択操作判定手段と、前記所望する番組が選択操作されたと判定されたときに前記録画情報に基づいて最新の録画番組を前記割り当て領域から検索する最新録画番組検索手段と、前記検索により所望する番組の最新の録画番組が有ったか録画番組自体が無かったかを判定する録画番組判定手段と、前記最新の録画番組が有ったと判定されたときに再生を開始させる再生開始手段と、前記録画番組自体が無かったと判定されたときに当該番組は録画されていないことを示すメッセージを表示手段に表示させるメッセージ表示手段とを有する。
【００２１】
したがって、前記再生処理部は、番組選択操作判定処理、最新録画番組検索処理、録画番組判定処理、再生開始処理、およびメッセージ表示処理を実現でき、これにより、ニュースや天気予報などのように１日に何回も放送される複数回番組の最新情報を視聴したい場合は、ユーザはニュースや天気予報などの再生を選択操作するだけで、常に最新情報を視聴することが可能になる。
【発明の効果】
【００２２】
以上のように本発明によれば、テレビ番組を選局するチューナを備え、テレビ番組などの情報を記録媒体に記録したり、記録媒体に記録された情報を再生したりする情報記録再生装置において、１日に何回も放送されるニュースや天気予報などのような複数回番組を同種番組毎に分類して録画予約の設定を行う録画予約設定手段と、現在時刻が録画予約時刻になったときに前記設定された録画予約は前記同種番組毎に分類された番組の録画予約であるか否かを判定する録画予約判定手段と、前記同種番組毎に分類された番組の録画予約であると判定されたときに前記記録媒体に前記複数回番組を録画するための割り当て領域が不足しているか否かを判定する領域判定手段と、前記割り当て領域が不足していると判定されたときに前記割り当て領域に録画されている録画番組を消去する録画番組消去手段と、前記割り当て領域が不足していないと判定されたときに前記割り当て領域に前記同種番組毎に分類された番組の録画を開始させる録画開始手段と、現在時刻が録画終了時刻になって前記同種番組毎に分類された番組の録画が停止したときに当該番組に関する分類と録画日時とチャンネルと前記割り当て領域のアドレス情報とを録画情報として前記記録媒体に保存させる録画情報保存手段とを有する録画処理部を備えると共に、前記録画された同種番組毎に分類された番組のうちの所望する番組を再生するために所望する番組が選択操作されたか否かを判定する番組選択操作判定手段と、前記所望する番組が選択操作されたと判定されたときに前記録画情報に基づいて最新の録画番組を前記割り当て領域から検索する最新録画番組検索手段と、前記検索により所望する番組の最新の録画番組が有ったか録画番組自体が無かったかを判定する録画番組判定手段と、前記最新の録画番組が有ったと判定されたときに再生を開始させる再生開始手段と、前記録画番組自体が無かったと判定されたときに当該番組は録画されていないことを示すメッセージを表示手段に表示させるメッセージ表示手段とを有する再生処理部を備えたので、何回も放送されるニュースや天気予報などのような複数回番組を記録媒体の割り当て領域に録画することができ、これにより、記録媒体の領域を有効に使用できると共に、複数回番組の最新情報をいつでも視聴することができるようになる。また、ニュースや天気予報などのように１日に何回も放送される複数回番組の最新情報を視聴したい場合は、ユーザはニュースや天気予報の再生を選択操作するだけで良いので、操作の煩わしさがなく、常に最新情報を視聴できる。
【００２３】
また、本発明によれば、テレビ番組を選局するチューナを備え、テレビ番組などの情報を記録媒体に記録したり、記録媒体に記録された情報を再生したりする情報記録再生装置において、１日に何回も放送されるニュースや天気予報などのような複数回番組を同種番組毎に分類して録画予約の設定を行った後、現在時刻が録画予約時刻になったときに、前記記録媒体の割り当て領域が不足しているときは当該割り当て領域に録画されている番組を消去して当該割り当て領域に前記同種番組毎に分類された番組の録画を行い、前記記録媒体の割り当て領域が不足していないときは当該割り当て領域に前記同種番組毎に分類された番組の録画を行い、次に、現在時刻が録画終了時刻になって前記同種番組毎に分類された番組の録画が停止したときに当該番組に関する分類と録画日時とチャンネルと前記割り当て領域のアドレス情報とを録画情報として前記記録媒体に保存させる録画処理部を備えると共に、前記録画された同種番組毎に分類された番組のうちの所望する番組を再生するために所望する番組が選択操作されたと判定されたときに、前記録画情報に基づいて最新の録画番組を前記割り当て領域から検索し、この検索により所望する番組の最新の録画番組が有ったときに再生を開始させる再生処理部を備えたので、何回も放送されるニュースや天気予報などのような複数回番組を記録媒体の割り当て領域に録画するようにしたので、記録媒体の領域を有効に使用できると共に、複数回番組の最新情報をいつでも視聴することができるようになる。また、ニュースや天気予報などのように１日に何回も放送される複数回番組の最新情報を視聴したい場合は、ユーザはニュースや天気予報の再生を選択操作するだけで良いので、操作の煩わしさがなく、常に最新情報を視聴できる。
【発明を実施するための最良の形態】
【００２４】
以下、添付図面を参照しつつ、本発明の実施の形態について説明する。図１は本発明の一実施形態に係る情報記録再生装置としての複合型記録再生装置の構成を示すブロック図である。ここでは、情報記録再生装置としては、ハードディスク装置（ハードディスクレコーダ）と光ディスク装置（ＤＶＤレコーダ）とが組み込まれた複合型記録再生装置について説明するが、本実施形態の特徴とする録画処理部および再生処理部をハードディスク装置や光ディスク装置に設ければ、同様な効果を得ることができる。
【００２５】
図１において、複合型記録再生装置１は、光ディスクとしてのＤＶＤ１３などに対して情報の記録／再生を行うＤＶＤレコーダである光ディスク装置２と、ＨＤ（ハードディスク）１４に対して情報の記録／再生を行うＨＤＤ（ハードディスクドライブ）であるハードディスク装置３と、図示しないアンテナからのテレビ放送信号を受信し、所望のチャンネルのテレビ放送信号を選択して映像音声信号として出力するチューナ４と、光ディスク装置２またはハードディスク装置３またはチューナ４から出力された映像音声信号を復号するデコーダ５と、チューナ４が受信可能な放送チャンネルを記憶すると共にシステムコントローラ１０の動作に必要なプログラムなどを記憶するフラッシュメモリ６とを備えている。
【００２６】
また、この複合型記録再生装置１は、デコーダ５で復号された映像信号をモニタ装置（テレビ受信機など）１３のディスプレイ装置（表示手段）１３１で表示可能な映像信号に変換する映像出力部７と、ＯＳＤ表示画面をモニタ装置１３のディスプレイ装置１３１に表示させるためのＯＳＤ回路１２と、デコーダ５で復号された音声信号をモニタ装置１３のスピーカ１３２で出力可能な音声信号に変換する音声出力部８と、リモコン１１から送信された赤外光の各種の指令信号を受信し、受信した赤外光の指令信号を電気信号の指令信号に変換し、この指令信号をシステムコントローラ１０に入力するリモコン受信部９と、装置全体を制御する前記システムコントローラ１０とを備えている。
【００２７】
システムコントローラ１０は、本実施形態の特徴として、１日に何回も放送されるニュースや天気予報などのような複数回番組を同種番組毎に分類して録画予約の設定を行う録画予約設定手段と、現在時刻が録画予約時刻になったときに前記設定された録画予約は前記同種番組毎に分類された番組の録画予約であるか否かを判定する録画予約判定手段と、前記同種番組毎に分類された番組の録画予約であると判定されたときに前記記録媒体に前記複数回番組を録画するための割り当て領域が不足しているか否かを判定する領域判定手段と、前記割り当て領域が不足していると判定されたときに前記割り当て領域に録画されている録画番組を消去する録画番組消去手段と、前記割り当て領域が不足していないと判定されたときに前記割り当て領域に前記同種番組毎に分類された番組の録画を開始させる録画開始手段と、現在時刻が録画終了時刻になって前記同種番組毎に分類された番組の録画が停止したときに当該番組に関する分類と録画日時とチャンネルと前記割り当て領域のアドレス情報とを録画情報として前記記録媒体に保存させる録画情報保存手段とを有する録画処理部１０１を備えている。
【００２８】
また、システムコントローラ１０は、前記録画された同種番組毎に分類された番組のうちの所望する番組を再生するために所望する番組が選択操作されたか否かを判定する番組選択操作判定手段と、前記所望する番組が選択操作されたと判定されたときに前記録画情報に基づいて最新の録画番組を前記割り当て領域から検索する最新録画番組検索手段と、前記検索により所望する番組の最新の録画番組が有ったか録画番組自体が無かったかを判定する録画番組判定手段と、前記最新の録画番組が有ったと判定されたときに再生を開始させる再生開始手段と、前記録画番組自体が無かったと判定されたときに当該番組は録画されていないことを示すメッセージを表示手段に表示させるメッセージ表示手段とを有する再生処理部１０２を備えている。
【００２９】
図２は本実施形態において複数回番組として例えば天気予報の番組が１日に複数回放送される場合の録画および再生の処理を説明するための図である。図２にいて、Ｔ１，Ｔ２は朝に放送される天気予報の番組を示し、Ｔ３，Ｔ４は昼に放送される天気予報の番組を示し、Ｔ５，Ｔ６は夜に放送される天気予報の番組を示す。
【００３０】
Ｅ１，Ｅ２，Ｅ３は、記録媒体であるＤＶＤ１３またはＨＤ１４において予め割り当てられた領域を示す。先ず、朝の天気予報番組Ｔ１は割り当て領域Ｅ１に録画（記録）され、次の天気予報番組Ｔ２は割り当て領域Ｅ２に録画される。昼の天気予報番組Ｔ３は割り当て領域Ｅ３に録画され、次の天気予報番組Ｔ４は割り当て領域Ｅ１に録画される。朝の天気予報番組Ｔ１を録画した時点では、最新の天気予報番組は、割り当て領域Ｅ１に録画された天気予報番組Ｔ１となる。朝の天気予報番組Ｔ２を録画した時点では、最新の天気予報番組は、割り当て領域Ｅ２に録画された天気予報番組Ｔ２となる。また、昼の天気予報番組Ｔ３を録画した時点では、最新の天気予報番組は、割り当て領域Ｅ３に録画された天気予報番組Ｔ３となる。さらに、昼の天気予報番組Ｔ４を録画した時点では、最新の天気予報番組は、割り当て領域Ｅ１に録画された天気予報番組Ｔ４となる。また、夜の天気予報番組Ｔ５を録画した時点では、最新の天気予報番組は、割り当て領域Ｅ２に録画された天気予報番組Ｔ５となる。さらに、夜の天気予報番組Ｔ６を録画した時点では、最新の天気予報番組は、割り当て領域Ｅ３に録画された天気予報番組Ｔ６となる。
【００３１】
例えば、割り当て領域Ｅ１には、天気予報番組Ｔ１に上書きされて天気予報番組Ｔ４が録画されることになる。このように、ＤＶＤ１３またはＨＤ１４において予め割り当てられた領域Ｅ１，Ｅ２，Ｅ３が天気予報番組のデータで満たされると、最も古い天気予報の録画番組のデータが自動的に消去されるので、ユーザがリモコン操作により、消去したい録画番組をいちいち選択して消去させる必要が無くなり、また、ニュースや天気予報などのように１日に何回も放送される番組の最新情報を検索する場合も簡単に行える。
【００３２】
図３は本実施形態において録画情報の内容を示す図である。図３において、「分類」は、１日に何回も放送されるニュースや天気予報などのような複数回番組を同種番組毎に分類された番組名が示され、この例の場合、天気予報で分類された天気予報の番組が示される。「録画日時」には、天気予報番組を録画予約して録画された年月日時刻が示され、「チャンネル」には、天気予報番組が放送されたテレビ放送局のチャンネルが示される。「割り当て領域」には、記録媒体（ＤＶＤ１３やＨＤ１４）に予め割り当てられた領域のうち当該天気予報番組が録画（記録）された割り当て領域の領域名（アドレス情報に相当）が示される。
【００３３】
図３の例の場合、天気予報番組Ｔ１は、チャンネルＣＨ２で放送され２００６年１月５日７時に録画され、割り当て領域Ｅ１に記録されていることを示す。天気予報番組Ｔ２は、チャンネルＣＨ４で放送され２００６年１月５日９時に録画され、割り当て領域Ｅ２に記録されていることを示す。天気予報番組Ｔ３は、チャンネルＣＨ２で放送され２００６年１月５日１３時に録画され、割り当て領域Ｅ３に記録されていることを示す。天気予報番組Ｔ４は、チャンネルＣＨ６で放送され２００６年１月５日１５時に録画され、割り当て領域Ｅ１に記録されていることを示す。天気予報番組Ｔ５は、チャンネルＣＨ２で放送され２００６年１月５日１８時に録画され、割り当て領域Ｅ２に記録されていることを示す。天気予報番組Ｔ６は、チャンネルＣＨ８で放送され２００６年１月５日２０時に録画され、割り当て領域Ｅ３に記録されていることを示す。
【００３４】
次の日では、天気予報番組Ｔ１は、チャンネルＣＨ２で放送され２００６年１月６日７時に録画され、割り当て領域Ｅ１に記録されていることを示す。天気予報番組Ｔ２は、チャンネルＣＨ４で放送され２００６年１月６日９時に録画され、割り当て領域Ｅ２に記録されていることを示す。天気予報番組Ｔ３は、チャンネルＣＨ２で放送され２００６年１月６日１３時に録画され、割り当て領域Ｅ３に記録されていることを示す。天気予報番組Ｔ４は、チャンネルＣＨ６で放送され２００６年１月６日１５時に録画され、割り当て領域Ｅ１に記録されていることを示す。天気予報番組Ｔ５は、チャンネルＣＨ２で放送され２００６年１月６日１８時に録画され、割り当て領域Ｅ２に記録されていることを示す。天気予報番組Ｔ６は、チャンネルＣＨ８で放送され２００６年１月６日２０時に録画され、割り当て領域Ｅ３に記録されていることを示す。
【００３５】
以下同様に、毎日の新しい天気予報番組が録画されていく。なお、図３で示したような天気予報番組の録画情報において不要になった情報は消去して行けば、録画情報を記録させる記録媒体の領域を有効に使用できる。ここの例では、天気予報番組について説明したが、ニュースなどであっても同様な処理を行うことができる。
【００３６】
図４は本実施形態において例えば天気予報番組を録画する場合の処理を説明するためのフローチャートである。このフローチャートおよび図１〜図３を参照して天気予報番組を録画する場合の処理について説明する。ここでは、天気予報番組をＨＤ１４に録画（記録）するものとして説明する。
【００３７】
先ず、リモコン１１を操作して、チューナ４で受信したＥＰＧ（電子番組表）をモニタ装置１３のディスプレイ装置１３１に表示させ、天気予報番組の１日分の録画予約する操作を行うと、システムコントローラ１０の録画処理部１０１の録画予約設定手段は、天気予報番組の録画予約の内容をフラッシュメモリ６に設定する（ステップＳ１）。この場合、録画予約の内容としては、例えば、ＥＰＧからチャンネルＣＨ２で放送開始時刻が７時の天気予報番組Ｔ１、チャンネルＣＨ４で放送開始時刻が９時の天気予報番組Ｔ２、チャンネルＣＨ２で放送開始時刻が１３時の天気予報番組Ｔ３、チャンネルＣＨ６で放送開始時刻が１５時の天気予報番組Ｔ４、チャンネルＣＨ２で放送開始時刻が１８時の天気予報番組Ｔ５、チャンネルＣＨ８で放送開始時刻が２０時の天気予報番組Ｔ６をそれぞれ録画予約しておくと、翌日には日付を更新させ、同じ録画予約情報を用いるように設定しておけば、毎日、天気予報番組が自動的に録画されることになる。なお、録画予約は、ＥＰＧの代わりにＧコードを用いても良い。
【００３８】
このようにして天気予報番組が録画予約された後、図示しないタイマにより現在時刻が録画開始時刻になったときに（ステップＳ２）、録画処理部１０１の録画判定手段では、前記設定された録画予約は、１日に何回も放送される複数回番組を同種番組毎に分類された番組（この例の場合は天気予報番組）の録画予約であるか否かを前記録画予約情報により判定する（ステップＳ３）。同種番組毎に分類された番組（天気予報番組）の録画予約であると判定されると、録画処理部１０１の領域判定手段は、ハードディスク装置３を駆動させ、ＨＤ１４の割り当て領域が不足しているか否かを判定する。即ち、領域判定手段は、例えば図２に示す割り当て領域Ｅ１，Ｅ２，Ｅ３の全部に天気予報の録画番組（録画番組データ）が録画（記録）されていて割り当て領域が不足しているか否かを判定する（ステップＳ４）。
【００３９】
割り当て領域が不足していると判定されたとき、録画処理部１０１の録画番組消去手段は、ハードディスク装置３を駆動させて、ＨＤ１４の割り当て領域（図２参照）に録画されている古い録画番組を消去する（ステップＳ５）。即ち、録画番組消去手段は、例えば、図２に示すように、割り当て領域Ｅ１，Ｅ２，Ｅ３に天気予報番組Ｔ１，Ｔ２，Ｔ３がそれぞれ録画されていたとすると、最も古い天気予報番組Ｔ１が消去される。そして、録画処理部１０１は、次の天気予報番組Ｔ４を割り当て領域Ｅ１に録画を開始させる（ステップＳ７）。なお、割り当て領域Ｅ１の天気予報番組Ｔ１のデータに天気予報番組Ｔ４のデータを上書きすれば、割り当て領域Ｅ１に新しい天気予報番組Ｔ４が録画（記録）されたことになる。
【００４０】
一方、ステップＳ３において、同種番組毎に分類された番組（天気予報番組）の録画予約でないと判定されると、システムコントローラ１０は、フラッシュメモリ６に保存された録画予約情報を参照して普通の番組（１日に何回も放送されるニュースや天気予報などのような複数回番組以外の番組）の録画予約があるか否かを判定し（ステップＳ６）、この録画予約があれば、ハードディスク装置３を駆動させ、当該番組のＨＤ１４への録画を開始させる（ステップＳ７）。
【００４１】
現在時刻が録画終了時刻になって（ステップＳ８）、録画が停止すると（ステップＳ９）、録画処理部１０１は、天気予報番組に対しては、例えば、図３に示すような録画情報を、ハードディスク装置３を介してＨＤ１４に保存させる（ステップＳ１０）。この後、録画予約がある場合は（ステップＳ１１）、ステップＳ２に戻り同様な処理が行われ、録画予約が無くなると、本録画処理は終了する。なお、天気予報番組の録画予約は、毎日録画する必要がなくなって、ユーザのリモコン操作により、この録画予約が解除されるまで、ステップＳ２〜ステップＳ１１の処理が繰り返される。
【００４２】
この図４のフローチャートでは、天気予報番組の録画処理について説明したが、毎日何回も放送されるニュースや、その他毎日何回も放送される番組で最新情報を視聴したい番組であれば、何れであっても良く、同様な処理により同様な効果が得られる。また、ここでは、天気予報番組などをＨＤ１４に録画（記録）させるものとして説明したが、天気予報番組などをＤＶＤ１３に録画（記録）させる場合も同様な録画処理を行うことができる。
【００４３】
図５は本実施形態において例えば天気予報番組を再生する場合の処理を説明するためのフローチャートである。このフローチャートおよび図１〜図３を参照して天気予報番組を再生する場合の処理について説明する。
【００４４】
先ず、ユーザが最新の天気予報を視聴したいため、リモコン操作によりプレイリストをモニタ装置１３のディスプレイ装置１３１に表示させ、このプレイリストの中から天気予報を選択すると、システムコントローラ１０の再生処理部１０２の番組選択操作判定手段は、天気予報が選択操作されたことを検知し（ステップＮ１）、再生処理部１０２の最新録画番組検索手段は、ハードディスク装置３を駆動させ、前記選択操作された天気予報について録画情報（図３参照）から最新の天気予報の録画番組を、録画日時の情報に基づいてＨＤ１４の割り当て領域（図２参照）より検索する（ステップＮ２）。
【００４５】
前記検索により、再生処理部１０２の最新番組判定手段は、天気予報の録画番組自体が無かったと判定したとき（ステップＮ３）、再生処理部１０２のメッセージ表示手段は、フラッシュメモリ６に記憶されているメッセージデータを読み出し、ＯＳＤ回路１２でＯＳＤ処理し、映像出力部７を介してモニタ装置１３のディスプレイ装置１３１に例えば「天気予報は録画されていません」というメッセージを表示させる（ステップＮ４）。
【００４６】
一方、再生処理部１０２の最新番組判定手段は、最新の天気予報の録画番組がＨＤ１４の割り当て領域に有ったと判定したとき（ステップＮ３）、再生処理部１０２の再生開始手段は、ハードディスク装置３を駆動させ、ＨＤ１４の割り当て領域から最新の天気予報の録画番組を、録画情報の録画日時に基づいて読み出し、再生を開始させ（ステップＮ５）、映像出力部７から最新の天気予報の録画番組の映像信号をモニタ装置１３のディスプレイ装置１３１に供給すると共に、音声出力部８から最新の天気予報の録画番組の音声信号をモニタ装置１３のスピーカ１３２に供給する。これにより、ディスプレイ装置１３１には、最新の天気予報が表示され、また、スピーカ１３２からは、最新の天気予報に関する音声が出力される。そして、再生が終了すると（ステップＮ６）、本再生処理は終了する。
【００４７】
以上説明したように本実施形態によれば、何回も放送されるニュースや天気予報などのような複数回番組を記録媒体の割り当て領域に録画（記録）するようにしたので、記録媒体の領域を有効に使用できると共に、複数回番組の最新情報をいつでも視聴することができるようになる。また、ニュースや天気予報などのように１日に何回も放送される複数回番組の最新情報を視聴したい場合は、ユーザはニュースや天気予報などの再生を選択操作するだけで良いので、操作の煩わしさがなく、常に最新情報を視聴できる。
【産業上の利用可能性】
【００４８】
本発明は、天気予報などの最新情報をいつでも視聴することができる機能をハードディスク装置やＤＶＤレコーダなどの情報記録再生装置に設けて、天気予報などの最新情報を取り出すことに利用できる。
【図面の簡単な説明】
【００４９】
【図１】本発明の一実施形態に係る情報記録再生装置としての複合型記録再生装置の構成を示すブロック図である。
【図２】前記実施形態において複数回番組として例えば天気予報の番組が１日に複数回放送される場合の録画および再生の処理を説明するための図である。
【図３】前記実施形態において録画情報の内容を示す図である。
【図４】前記実施形態において例えば天気予報番組を録画する場合の処理を説明するためのフローチャートである。
【図５】前記実施形態において例えば天気予報番組を再生する場合の処理を説明するためのフローチャートである。
【符号の説明】
【００５０】
２    光ディスク装置（情報記録再生装置）
３    ハードディスク装置（情報記録再生装置）
１３    ＤＶＤ（記録媒体）
１４    ＨＤ（記録媒体）
１０１    録画処理部
１０２    再生処理部
１３１    ディスプレイ装置（表示手段）
Ｅ１，Ｅ２，Ｅ３    割り当て領域
【図１】
2007221410.tif 000003
【図２】
2007221410.tif 000004
【図３】
2007221410.tif 000005
【図４】
2007221410.tif 000006
【図５】
2007221410.tif 000007